(57)【要約】【課題】操作性に優れ、繰り返し使用しても、変形や亀裂、断裂等がなく極めて耐久性に優れた装身具用引き輪を提供する。【解決手段】略環体状を呈するパイプ材によって引き輪本体１０を形成する。この引き輪本体１０内を摺動自在な摺動ピン２０を設ける。引き輪本体１０内に弾発スプリングを備える。引き輪本体１０に設けた切欠溝１２から外方に突出する操作突起部２１を備える。レーザー溶接が可能な金属材にて爪掛け用装飾体４０を形成する。摺動ピン２０を両側から挟着せしめる一対の挟着片４１を爪掛け用装飾体４０に形成する。該爪掛け用装飾体４０を操作突起部２１にレーザー溶着する。【選択図】図１
0003166723.tif 000002
【実用新案登録請求の範囲】
【請求項１】
略環体状を呈するパイプ材によって形成される引き輪本体と、この引き輪本体内を摺動自在で、且つその摺動動作によって引き輪本体の開口部を開閉自在にできるよう形成される摺動ピンと、引き輪本体内に縮装されると共に、摺動ピンの先端部分が引き輪本体の開口部を常時閉鎖する向きにその弾発力を付勢する弾発スプリングと、摺動ピンに設けられ引き輪本体に開設した切欠溝から外方に突出する操作突起部とを備え、ネックレスやブレスレット等の装身具に使用される比較的小さな引き輪において、レーザー溶接が可能な金属材にて爪掛け用装飾体を形成し、該爪掛け用装飾体を操作突起部にレーザー溶着することを特徴とする装身具用引き輪。
【請求項２】
前記爪掛け用装飾体は、指の腹に係止せしめる側面ハート形状に形成された請求項１記載の装身具用引き輪。
【請求項３】
前記爪掛け用装飾体は、前記操作突起部を両側から挟着する一対の挟着片が形成され、該挟着片を前記操作突起部に溶着するように構成された請求項１又は２記載の装身具用引き輪。
【請求項４】
前記爪掛け用装飾体は、前記摺動ピンの操作突起部に外嵌する嵌合部が形成され、該嵌合部と前記操作突起部とを嵌合した状態で溶着するように構成された請求項１記載の装身具用引き輪。
【請求項５】
前記挟着片又は前記嵌合部は、既製品の引き輪本体に備えられた前記操作突起部を挟着し又は嵌合するように構成された請求項３又は４記載の装身具用引き輪。
【考案の詳細な説明】
【技術分野】
【０００１】
本考案は、主に、ネックレスやブレスレット等の装身具で使用される引き輪の装飾構造に係るもので、操作性や耐久性の向上を図り合理的な製造が可能な装身具用引き輪に関するものである。
【背景技術】
【０００２】
従来、この種の装身具用引き輪にあっては、例えば、パイプ材によって略環体状に形成される引き輪本体と、この引き輪本体内を自在に摺動して、引き輪本体の開口部を自在に開閉する摺動ピンと、摺動ピンの先端部分が引き輪本体の開口部を常時閉鎖する向きにその弾発力を付勢する弾発スプリングとを備え、更に、摺動ピンに形成した操作突起部を、引き輪本体の切欠溝から外方に突出せしめ、この操作突起部に爪先等を当接させると共に、弾発スプリングの弾発力に抗して押圧して移動せしめることにより、開口部が開くように形成されている（例えば、特許文献１の図１、図２参照）。
【０００３】
ところが、このような装身具用引き輪に於いて、その引き輪本体全体の外径が略５ｍｍ程度以下となるような比較的小さな装身具用引き輪にあっては、操作突起部がかなり小さく形成されるので、爪先で操作突起部を操作するようにしているが、爪先で操作突起部を捕らえ難いと共に、爪先で捕らえたとしても滑り易い等の難点があった。
【０００４】
そのため、操作突起部の操作が簡単に行い難い状態となっている。特に、最近では付け爪をしている女性が多く、操作突起の操作がより行い難くなっていると共に、爪先等を損傷する虞もあった。
【０００５】
このような課題を解消するため、当出願人は、特許文献２に記載の装身具用引き輪を提案している。この装身具用引き輪では、引き輪本体に設けた切欠溝から外方に突出する摺動ピンの操作突起部に、適宜合成樹脂材、或いは、適宜ゴム材によって着色形成される柔軟性を備えた比較的大きな爪掛けカバーを、外装するように装着する手段を採用したものである。
【先行技術文献】
【特許文献】
【０００６】
【特許文献１】実用新案登録第３０８５２６８号公報
【特許文献２】実用新案登録第３１４５０５２号公報
【考案の概要】
【考案が解決しようとする課題】
【０００７】
特許文献２に記載の装身具用引き輪では、適宜合成樹脂材やゴム材等の柔軟性を備えた爪掛けカバーを装着しているので、爪先等の損傷を防止することに成功したが、その一方で爪掛けカバーの耐久性に課題を残すものであった。
【０００８】
すなわち、摺動ピンの操作突起部は、ネックレス等を着脱する際に必ず操作する部材である。このとき、操作突起部を引き輪本体内に縮装された弾発スプリングの弾発力に対して抗する方向に操作するものであるから、この操作突起部を操作するには一定の力を要するものである。そのため、柔軟性を備えた爪掛けカバーを介して操作突起部を繰り返し操作していると、この爪掛けカバーが損傷し、変形や亀裂、断裂等が生じるおそれがあった。
【０００９】
そこで本考案は、上述の課題を解消すべく案出されたもので、操作性に優れると共に、繰り返し使用しても、変形や亀裂、断裂等がなく極めて耐久性に優れた装身具用引き輪の提供を目的とするものである。
【課題を解決するための手段】
【００１０】
上述の目的を達成すべく、本考案の第１の手段は、略環体状を呈するパイプ材によって形成される引き輪本体１０と、この引き輪本体１０内を摺動自在で、且つその摺動動作によって引き輪本体１０の開口部１１を開閉自在にできるよう形成される摺動ピン２０と、引き輪本体１０内に縮装されると共に、摺動ピン２０の先端部分が引き輪本体１０の開口部１１を常時閉鎖する向きにその弾発力を付勢する弾発スプリングと、摺動ピン２０に設けられ引き輪本体１０に開設した切欠溝１２から外方に突出する操作突起部２１とを備え、ネックレスやブレスレット等の装身具に使用される比較的小さな引き輪において、レーザー溶接が可能な材質にて爪掛け用装飾体４０を形成し、該爪掛け用装飾体４０を操作突起部２１にレーザー溶着したことにある。
【００１１】
第２の手段の前記爪掛け用装飾体４０は、指の腹に係止せしめる側面ハート形状に形成されたものである。
【００１２】
第３の手段の前記爪掛け用装飾体４０は、前記操作突起部２１を両側から挟着する一対の挟着片４１が形成され、該挟着片４１を操作突起部２１に溶着するように構成されたものである。
【００１３】
第４手段において、前記爪掛け用装飾体４０は、前記操作突起部２１に外嵌する嵌合部４２が形成され、該嵌合部４２と前記操作突起部２１とを嵌合した状態で溶着するように構成されている。
【００１４】
第５の手段において、前記挟着片４１又は前記嵌合部４２は、既製品の引き輪本体１０に備えられた前記操作突起部２１を挟着し又は嵌合するように構成されたことを課題解消のための手段とする。
【考案の効果】
【００１５】
本考案の請求項１に記載のごとく、レーザー溶接が可能な材質にて爪掛け用装飾体を形成し、該爪掛け用装飾体を操作突起部にレーザー溶着したことで、極めて強固な材質の爪掛け用装飾体が摺動ピンと一体になるものである。この結果、従来の柔軟性を備えた爪掛けカバーのように、操作突起部を繰り返し操作するとこの爪掛けカバーに変形や亀裂、断裂等が生じるなどいったおそれは解消された。
【００１６】
請求項２のごとく、爪掛け用装飾体を、指の腹に係止せしめる側面ハート形状に形成することで、これまで爪で引っ掛けなければなかった操作突起部を指の腹で操作できるようになった。この結果、爪に装飾が施された状態であっても、操作突起部の操作を簡単に行うことができるので、爪や爪の装飾を傷付けるおそれはない。
【００１７】
また、請求項３のように、爪掛け用装飾体に、操作突起部を両側から挟着する一対の挟着片を形成し、該挟着片を前記操作突起部に溶着するように構成しているので、爪掛け用装飾体の溶着作業を極めて容易に行えるものになった。
【００１８】
更に、請求項４のごとく、前記爪掛け用装飾体は、前記摺動ピンの操作突起部に外嵌する嵌合部が形成され、該嵌合部と前記操作突起部とを嵌合した状態で溶着するように構成しているので、爪掛け用装飾体と摺動ピンの操作突起部とが一体化した状態で溶着されるものである。したがって、溶着後の見栄えも良好になる。
【００１９】
そして、請求項５のように、前記挟着片又は前記嵌合部は、既製品の引き輪本体に備えられた前記操作突起部２１を挟着し又は嵌合するように構成したことで、既製の装身具用引き輪を利用した装身具用引き輪の提供が可能になる。この結果、極めて合理的で安価な提供が可能になるものである。
【図面の簡単な説明】
【００２０】
【図１】本考案の装身具用引き輪の使用状態を示す斜視図である。
【図２】本考案の装身具用引き輪を例示する側面図である。
【図３】本考案の装身具用引き輪の他の実施例を示す一部切欠正面図である。
【図４】従来の装身具用引き輪を示す正面図である。
【考案を実施するための形態】
【００２１】
以下、本考案を図示例に基づいて説明する。本考案は、主に、ネックレスやブレスレット等の装身具で使用される装身具用引き輪に装着して使用するものである。
【００２２】
本考案の基本構成は、略環体状を呈するパイプ材によって形成される引き輪本体１０と、この引き輪本体１０内を摺動自在で、且つその摺動動作によって引き輪本体１０の開口部１１を開閉自在にできるよう形成される摺動ピン２０と、引き輪本体１０内に縮装されると共に、摺動ピン２０の先端部分が引き輪本体１０の開口部１１を常時閉鎖する向きにその弾発力を付勢する弾発スプリングと、摺動ピン２０に設けられ引き輪本体１０に開設した切欠溝１２から外方に突出する操作突起部２１とを備えた比較的小さな装身具用引き輪である。
【００２３】
そして、レーザー溶接が可能な金属材等の材質にて爪掛け用装飾体４０を形成し、該爪掛け用装飾体４０を操作突起部２１にレーザー溶着するものである。
【実施例】
【００２４】
本考案で使用する引き輪本体１０や摺動ピン２０は、既製品の引き輪本体１０及び摺動ピン２０を使用する。引き輪本体１０は、一般に、適宜金属製のパイプ材を略環体状に折曲して形成したもので、引き輪本体１０の両端部分間が開口部１１となっている。しかも、パイプ径は略１ｍｍ程度で、引き輪本体１０全体の外径が略５ｍｍ程度となるように形成され、比較的小さく形成されている。
【００２５】
また、引き輪本体１０の外側部分には、摺動ピン２０の操作突起部２１が挿通状態で移動可能となるような細長な切欠溝１２が穿設されている。この引き輪本体１０内には適宜コイルスプリングが縮装されており、摺動ピン２０の先端部分が引き輪本体１０の開口部１１を常時閉鎖する向きにその弾発力を付勢している。
【００２６】
摺動ピン２０は、例えば、適宜金属製の線材等によって構成されるもので、引き輪本体１０内を摺動自在となるように全体的に湾曲形成され、更に、その中間部分を外方に突出するように折返してなる操作突起部２１が形成してある。この操作突起部２１は、通常、その先端がわの折返し部が太くて、基端がわが細くなるように形成してある（図２参照）。
【００２７】
爪掛け用装飾体４０は、レーザー溶接が可能な金属材等の材質にて形成される部材である。この爪掛け用装飾体４０は、既製品の引き輪本体１０に備えられた前記操作突起部２１を挟着し、あるいは嵌合するように構成されている。
【００２８】
図１、図２に示す爪掛け用装飾体４０は、引き輪本体１０の切欠溝１２から外方に突出する操作突起部２１にレーザー溶着されたものである。図示例では、摺動ピン２０を両側から挟着する一対の挟着片４１が形成され、該挟着片４１を前記操作突起部２１に溶着するように構成したものである。また、図示の爪掛け用装飾体４０は、側面から見て略ハート形状を成している。この形状は、摺動ピン２０をスライド操作する際に、指の腹がフィットする形状となっている。したがって、この爪掛け用装飾体４０を操作する際に、爪が触れずに済む。この結果、ネイルアートの如き装飾が爪に施されていても、この装飾を傷付けるおそれはない。
【００２９】
一方、図３に示す爪掛け用装飾体４０には、操作突起部２１に外嵌する嵌合部４２が形成されている。そして、この嵌合部４２と前記操作突起部２１とを嵌合した状態で溶着したものである。図示例では、予め形成されている操作突起部２１をより大きくした丸玉状の爪掛け用装飾体４０を溶着している。この爪掛け用装飾体４０によると、操作突起部２１の操作が容易になり、装飾したネイルにも優しいので、爪や爪の装飾を傷付けるおそれがない。
【００３０】
尚、図中符号３０は、引き輪本体１０に固着される鎖取付部で、この鎖取付部３０は、例えば、帯板を略Ｕ状に折曲して、その両端部分で引き輪本体１０を挟むようにして固着（溶着、ロウ付け等）されている。そして、この鎖取付部３０には、装飾鎖６０の一端部分が連結されるようになる。また、図中符号５０は、装飾鎖６０の他端に接続される適宜金属製の掛止板で、この掛止板５０には、引き輪本体１０が遊挿可能な円孔が穿設されている（図１参照）。
【産業上の利用可能性】
【００３１】
本考案において、引き輪本体１０及び摺動ピン２０は既存の製品を使用するものであり、操作突起部２１等の形状は図示例に限定されるものではない。また、本考案の爪掛け用装飾体４０においても図示例に限定されるものではなく、本考案の要旨を変更しない範囲で任意に変更することができるものである。
【符号の説明】
【００３２】
１０    引き輪本体
１１    開口部
１２    切欠溝
２０    摺動ピン
２１    操作突起部
３０    鎖取付部
４０  爪掛け用装飾体
４１  挟着片
４２  嵌合部
５０  掛止板
６０  装飾鎖
【図１】
0003166723.tif 000003
【図２】
0003166723.tif 000004
【図３】
0003166723.tif 000005
【図４】
0003166723.tif 000006